(57)【要約】【課題】コンピュータ機器や画像再生機器で再生された画像に基づいて作成された写真プリントを簡単かつ確実に照合することができ、簡単に焼き増しする写真プリントに対応する画像ファイルを特定することができるプリント作成システム及びプリント作成方法の提供。【解決手段】記録媒体に記録された画像ファイルに基づく画像を表示手段に表示する際に該画像ファイルに対応付けられた画像特定情報を表示し、この画像特定情報２０をプリント注文票に記入してプリント注文を行うと、写真プリント１１の表面又は裏面の少なくとも一方に画像特定情報２０が記録される。これにより、作成した写真プリント１１を見るだけで、その写真プリント１１がどの画像ファイルに対応するのかを判別することができ、写真プリントの照合や写真プリントに対応する画像ファイルの特定を行うことができる。【選択図】図１３
2005316538.tif 000002
【特許請求の範囲】
【請求項１】
記録媒体に記録された画像ファイルに基づく画像と、前記画像ファイルに対応付けられた画像特定情報とを関連付けて表示させる表示手段と、
前記記録媒体とプリント注文票とに基づいて、前記画像特定情報で特定される前記画像ファイルに基づく画像をプリントするプリント作成手段とを備えるプリント作成システムであって、
前記プリント作成手段は、前記表示手段に表示された前記画像特定情報を前記プリントの表面又は裏面の少なくとも一方に記録することを特徴とするプリント作成システム。
【請求項２】
記録媒体に記録された画像ファイルに基づく画像と、前記画像ファイルに対応付けられた画像特定情報とを関連付けて表示させる表示手段と、
前記記録媒体と前記画像特定情報が記入されたプリント注文票とに基づいて、前記画像特定情報で特定される前記画像ファイルに基づく画像をプリントするプリント作成手段とを備えるプリント作成システムであって、
前記プリント作成手段は、前記表示手段に表示され、かつ、前記プリント注文票に記入された前記画像特定情報を前記プリントの表面又は裏面の少なくとも一方に記録することを特徴とするプリント作成システム。
【請求項３】
入力された画像ファイルに基づく画像と前記画像ファイルに対応付けられた画像特定情報とを関連付けて表示手段に表示させる再生データを記録媒体に記録する記録手段と、
前記再生データを用いて、前記画像ファイルに基づく画像と前記画像特定情報とを関連付けて表示させる表示手段と、
前記記録媒体と前記画像特定情報が記入されたプリント注文票とに基づいて、前記画像特定情報で特定される前記画像ファイルに基づく画像をプリントするプリント作成手段とを備えるプリント作成システムであって、
前記プリント作成手段は、前記表示手段に表示され、かつ、前記プリント注文票に記入された前記画像特定情報を前記プリントの表面又は裏面の少なくとも一方に記録することを特徴とするプリント作成システム。
【請求項４】
前記記録手段は、前記記録媒体に予め定められたルールに従って生成された名称のフォルダを作成し、該フォルダに前記再生データを記録することを特徴とする請求項３記載のプリント作成システム。
【請求項５】
前記記録手段は、前記記録媒体の論理アドレス領域外に、該記録媒体を識別するための特定の情報が記録されている場合に、前記記録媒体に前記再生データを記録することを特徴とする請求項３又は４に記載のプリント作成システム。
【請求項６】
前記プリント注文票に、プリント注文を特定する注文特定情報が記録され、
前記プリント作成手段は、更に、前記注文特定情報を前記プリントの表面又は裏面の少なくとも一方に記録することを特徴とする請求項１乃至５のいずれか一に記載のプリント作成システム。
【請求項７】
画像ファイルが記録された記録媒体と、プリント注文票とに基づいてプリントを作成するプリント作成方法であって、
前記記録媒体に記録された画像ファイルに基づく画像と前記画像ファイルに対応付けられた画像特定情報とを関連付けて表示手段に表示するステップと、
前記画像特定情報で特定される前記画像ファイルに基づく画像をプリントすると共に、前記表示手段に表示された前記画像特定情報を前記プリントの表面又は裏面の少なくとも一方に記録するプリント作成ステップとを少なくとも有することを特徴とするプリント作成方法。
【請求項８】
画像ファイルが記録された記録媒体と、プリント注文票とに基づいてプリントを作成するプリント作成方法であって、
前記記録媒体に記録された画像ファイルに基づく画像と前記画像ファイルに対応付けられた画像特定情報とを関連付けて表示手段に表示するステップと、
選択された前記画像ファイルに対応する前記画像特定情報を前記プリント注文票に記入させるステップと、
前記画像特定情報で特定される前記画像ファイルに基づく画像をプリントすると共に、前記表示手段に表示され、かつ、前記プリント注文票に記入された前記画像特定情報を前記プリントの表面又は裏面の少なくとも一方に記録するプリント作成ステップとを少なくとも有することを特徴とするプリント作成方法。
【請求項９】
画像ファイルが記録された記録媒体と、プリント注文票とに基づいてプリントを作成するプリント作成方法であって、
前記記録媒体に、入力された画像ファイルに基づく画像と前記画像ファイルに対応付けられた画像特定情報とを関連付けて表示手段に表示させる再生データを記録する記録ステップと、
前記再生データを用いて、前記画像ファイルに基づく画像と前記画像特定情報とを関連付けて表示手段に表示するステップと、
選択された画像ファイルに対応する前記画像特定情報をプリント注文票に記入させるステップと、
前記画像特定情報で特定される前記画像ファイルに基づく画像をプリントすると共に、前記表示手段に表示され、かつ、前記プリント注文票に記入された前記画像特定情報を前記プリントの表面又は裏面の少なくとも一方に記録するプリント作成ステップと、を少なくとも有することを特徴とするプリント作成方法。
【請求項１０】
前記記録ステップでは、前記記録媒体に予め定められたルールに従って生成された名称のフォルダを作成し、該フォルダに前記再生データを記録することを特徴とする請求項９記載のプリント作成方法。
【請求項１１】
前記記録ステップでは、前記記録媒体の論理アドレス領域外に、該記録媒体を識別するための特定の情報が記録されている場合に、前記記録媒体に前記再生データを記録することを特徴とする請求項９又は１０に記載のプリント作成方法。
【請求項１２】
前記プリント注文票に、プリント注文を特定する注文特定情報が記録されており、
前記プリント作成ステップでは、更に、前記注文特定情報を前記プリントの表面又は裏面の少なくとも一方に記録することを特徴とする請求項７乃至１１のいずれか一に記載のプリント作成方法。
【発明の詳細な説明】
【技術分野】
【０００１】
本発明は、パーソナルコンピュータ等のコンピュータ機器やＤＶＤプレーヤ、ＤＶＤレコーダ、ゲーム機等の画像再生機器で再生される画像ファイルに基づいて写真プリントを作成するプリント作成システム及びプリント作成方法に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像ファイルをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像ファイルを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像ファイルをＤＶＤプレーヤやＤＶＤレコーダ、ＨＤＤレコーダ、ゲーム機などの画像再生機器で再生可能な形式の画像ファイルに変換し、元の画像ファイルと変換した画像ファイルとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
ここで、ネガフィルムを用いて写真プリントを作成する場合は、ユーザはネガフィルムを見て画像を選択し、画像近傍に記録されているフレーム番号をプリント注文票に記入してプリント注文を行う。また、写真店では、ネガフィルムをスキャナ等で読み取り、フレーム番号とネガフィルムの画像とを見比べながら写真プリントを作成すると共に、そのフレーム番号を写真プリントにバックプリントし、このフレーム番号を用いて作成した写真プリントの照合を行う。また、写真プリントの焼き増しを行う場合は、ユーザはバックプリントされたフレーム番号をプリント注文票に記入して、同様にプリント注文を行う。
【０００７】
一方、画像ファイルが記録された記録媒体を用いて写真プリントを作成する場合は、ネガフィルムのように画像を直接見ることができないため、通常、記録媒体に記録された画像ファイルに基づく画像を縮小したサムネイル画像を記録したプリント注文票をユーザに提供し、ユーザはこのサムネイル画像を見てプリント注文する画像を選択する。また、写真店では、受付端末などを用いて記録媒体に記録された画像ファイルを再生し、画面に表示された画像とプリント注文票のサムネイル画像とを見比べながらプリントを行う。しかしながら、サムネイル画像はサイズが小さく画像の識別が困難であるために、写真プリントの照合に間違いが生じやすいという問題がある。
【０００８】
また、写真プリントに通し番号や画像ファイルのファイル名などの情報がバックプリントされる場合もあるが、その場合でも、これらは表示手段に表示される情報やプリント注文票に記載される情報に明確に対応付けられた情報ではないため、やはり写真店では、写真プリントの照合に際して、受付端末などを用いて記録媒体に記録された画像ファイルを再生させなければならず、操作が煩雑になる。
【０００９】
また、ユーザが写真プリントの焼き増しを行う場合も、写真プリントには画像ファイルを特定する情報が何も記録されないか、上述した通し番号やファイル名が記録されるのみであるため、写真プリントを見ただけでは、その写真プリントがどの注文で作成されたものであるのか、画像ファイルがどの記録媒体に記録されているかなどを特定することができないという問題もある。
【００１０】
本発明は、上記問題点に鑑みてなされたものであって、その第１の目的は、コンピュータ機器や画像再生機器で再生された画像に基づいて作成された写真プリントを簡単かつ確実に照合することができるプリント作成システム及びプリント作成方法を提供することにある。
【００１１】
また、本発明の第２の目的は、焼き増しする写真プリントに対応する画像ファイルを簡単に特定することができるプリント作成システム及びプリント作成方法を提供することにある。
【課題を解決するための手段】
【００１２】
上記目的を達成するため、本発明のプリント作成システムは、記録媒体に記録された画像ファイルに基づく画像と、前記画像ファイルに対応付けられた画像特定情報とを関連付けて表示させる表示手段と、前記記録媒体とプリント注文票とに基づいて、前記画像特定情報で特定される前記画像ファイルに基づく画像をプリントするプリント作成手段とを備えるプリント作成システムであって、前記プリント作成手段は、前記表示手段に表示された前記画像特定情報を前記プリントの表面又は裏面の少なくとも一方に記録するものである。
【００１３】
また、本発明のプリント作成システムは、記録媒体に記録された画像ファイルに基づく画像と、前記画像ファイルに対応付けられた画像特定情報とを関連付けて表示させる表示手段と、前記記録媒体と前記画像特定情報が記入されたプリント注文票とに基づいて、前記画像特定情報で特定される前記画像ファイルに基づく画像をプリントするプリント作成手段とを備えるプリント作成システムであって、前記プリント作成手段は、前記表示手段に表示され、かつ、前記プリント注文票に記入された前記画像特定情報を前記プリントの表面又は裏面の少なくとも一方に記録するものである。
【００１４】
また、本発明のプリント作成システムは、入力された画像ファイルに基づく画像と前記画像ファイルに対応付けられた画像特定情報とを関連付けて表示手段に表示させる再生データを記録媒体に記録する記録手段と、前記再生データを用いて、前記画像ファイルに基づく画像と前記画像特定情報とを関連付けて表示させる表示手段と、前記記録媒体と前記画像特定情報が記入されたプリント注文票とに基づいて、前記画像特定情報で特定される前記画像ファイルに基づく画像をプリントするプリント作成手段とを備えるプリント作成システムであって、前記プリント作成手段は、前記表示手段に表示され、かつ、前記プリント注文票に記入された前記画像特定情報を前記プリントの表面又は裏面の少なくとも一方に記録するものである。
【００１５】
本発明においては、前記記録手段は、前記記録媒体に予め定められたルールに従って生成された名称のフォルダを作成し、該フォルダに前記再生データを記録する構成とすることができ、また、前記記録手段は、前記記録媒体の論理アドレス領域外に、該記録媒体を識別するための特定の情報が記録されている場合に、前記記録媒体に前記再生データを記録する構成とすることもできる。
【００１６】
また、本発明においては、前記プリント注文票に、プリント注文を特定する注文特定情報が記録され、前記プリント作成手段は、更に、前記注文特定情報を前記プリントの表面又は裏面の少なくとも一方に記録する構成とすることもできる。
【００１７】
また、本発明のプリント作成方法は、画像ファイルが記録された記録媒体と、プリント注文票とに基づいてプリントを作成するプリント作成方法であって、前記記録媒体に記録された画像ファイルに基づく画像と前記画像ファイルに対応付けられた画像特定情報とを関連付けて表示手段に表示するステップと、前記画像特定情報で特定される前記画像ファイルに基づく画像をプリントすると共に、前記表示手段に表示された前記画像特定情報を前記プリントの表面又は裏面の少なくとも一方に記録するプリント作成ステップとを少なくとも有するものである。
【００１８】
また、本発明のプリント作成方法は、画像ファイルが記録された記録媒体と、プリント注文票とに基づいてプリントを作成するプリント作成方法であって、前記記録媒体に記録された画像ファイルに基づく画像と前記画像ファイルに対応付けられた画像特定情報とを関連付けて表示手段に表示するステップと、選択された前記画像ファイルに対応する前記画像特定情報を前記プリント注文票に記入させるステップと、前記画像特定情報で特定される前記画像ファイルに基づく画像をプリントすると共に、前記表示手段に表示され、かつ、前記プリント注文票に記入された前記画像特定情報を前記プリントの表面又は裏面の少なくとも一方に記録するプリント作成ステップとを少なくとも有するものである。
【００１９】
また、本発明のプリント作成方法は、画像ファイルが記録された記録媒体と、プリント注文票とに基づいてプリントを作成するプリント作成方法であって、前記記録媒体に、入力された画像ファイルに基づく画像と前記画像ファイルに対応付けられた画像特定情報とを関連付けて表示手段に表示させる再生データを記録する記録ステップと、前記再生データを用いて、前記画像ファイルに基づく画像と前記画像特定情報とを関連付けて表示手段に表示するステップと、選択された画像ファイルに対応する前記画像特定情報をプリント注文票に記入させるステップと、前記画像特定情報で特定される前記画像ファイルに基づく画像をプリントすると共に、前記表示手段に表示され、かつ、前記プリント注文票に記入された前記画像特定情報を前記プリントの表面又は裏面の少なくとも一方に記録するプリント作成ステップと、を少なくとも有するものである。
【００２０】
このように、本発明の構成によれば、記録媒体に記録された画像ファイルに基づいて作成された写真プリントの表面又は裏面の少なくとも一方に、画像ファイルに基づく画像と共に表示手段に表示された画像特定情報が記録されるため、この画像特定情報を用いることにより、簡単かつ確実に写真プリントの照合を行うことができ、また、焼き増しする写真プリントに対応する画像ファイルを簡単に特定することができる。
【発明の効果】
【００２１】
本発明のプリント作成システム及びプリント作成方法によれば、下記記載の効果を奏する。
【００２２】
本発明の第１の効果は、簡単かつ確実に作成した写真プリントを照合することができるということである。
【００２３】
その理由は、コンピュータ機器や画像再生機器の画面には、画像ファイルに基づく画像と共に、該画像に対応付けられた画像特定情報が表示され、この画像特定情報をプリント注文票に記入してプリント注文を行うと、プリントの表面又は裏面の少なくとも一方には、画像特定情報と必要に応じて注文特定情報とが記録されるため、写真店の店員は写真プリントに記録された画像特定情報と画面に表示又はプリント注文票に記入された画像特定情報とを比較することにより、出来上がった写真プリントが注文通りであるかを判断することができるからである。
【００２４】
また、本発明の第２の効果は、焼き増しする写真プリントに対応する画像ファイルを簡単に特定することができるということである。
【００２５】
その理由は、プリントの表面又は裏面の少なくとも一方に記録された画像特定情報をプリント注文票に記入するだけで、写真プリントを作成する画像ファイルを特定することができるからである。
【発明を実施するための最良の形態】
【００２６】
従来技術で示したように、フィルムカメラで撮影して得られたネガフィルムから写真プリントを作成する場合は、ネガフィルムに記録されたフレーム番号が写真プリントにバックプリントされるため、このフレーム番号を用いることにより作成した写真プリントを照合することができる。一方、デジタルカメラで撮影して得られた画像ファイルが記録された記録媒体を用いて写真プリントを作成する場合は、画像を直接確認することができないためにサムネイル画像が記録されたプリント注文票が提供されるが、サムネイル画像では画像の識別が困難であるために、写真プリントの照合に間違いが生じやすいという問題があった。
【００２７】
また、写真プリントを焼き増しする場合も、ネガフィルムから作成した写真プリントの場合は、フレーム番号を用いて画像を特定することができるが、記録媒体から作成した写真プリントの場合は、画像ファイルを特定する情報が記録されないか、単なる通し番号が記録されるか、若しくは画像ファイルのファイル名が記録されるのみであるため、その写真プリントがどの注文で作成されたものであるのか、画像ファイルがどの記録媒体に記録されているかなどを特定することができず、簡単に写真プリントができないという問題があった。
【００２８】
この記録媒体を用いたプリント注文を容易にするために、本願出願人は、先願（特願２００３−１６６４７６号）において、予め定められたルールに従って画像ファイルを特定する画像特定情報を生成し、コンピュータ機器や画像再生機器に画像ファイルに基づく画像と共に画像特定情報を表示し、プリント注文票にその画像特定情報を記入することによりプリント注文を行う方法を開示している。この方法により、プリント注文する画像を簡単に特定することができるが、写真プリント自体には画像ファイルを特定する情報が記録されていないため、同様に、簡単に写真プリントの照合や焼き増しする写真プリントの特定を行うことができない。
【００２９】
そこで、本発明では、記録媒体に記録された画像ファイルに基づく画像を表示手段に表示する際に、該画像ファイルに対応付けられた画像特定情報を表示し、この画像特定情報をプリント注文票に記入してプリント注文を行うと、プリントの表面又は裏面の少なくとも一方の任意の位置に画像特定情報と必要に応じて注文特定情報とが記録されるようにする。これにより、作成した写真プリントを見るだけで、その写真プリントがどの注文のどの画像ファイルに対応するのかを判別できるようになり、画像特定情報を用いて、簡単かつ確実に写真プリントの照合や焼き増しする写真プリントの特定を行うことができる。
【実施例】
【００３０】
上記した本発明の実施の形態についてさらに詳細に説明すべく、本発明の一実施例に係るプリント作成システム及びプリント作成方法について、図１乃至図１４を参照して説明する。図１乃至図３は、本発明の一実施例に係るプリント作成システムの構成を模式的に示す図であり、図４は、画像記録装置の主要な手段を示すブロック図である。また、図５は、本実施例の記録媒体及びプリント注文票を入手する手順を示すフローチャート図であり、図６は、本実施例の記録媒体及びプリント注文票を用いてプリント注文を行う手順を示すフローチャート図である。また、図７は、記録媒体におけるデータの記録領域を模式的に示す図、図８は、ＣＤ−Ｒの構造を模式的に示す図であり、図９は、記録媒体におけるデータの記録構造を示す図である。また、図１０及び図１１は、プリント注文票の構成例を示す図であり、図１２は、コンピュータ機器又は画像再生機器の表示手段に表示される画面の構成例を示す図であり、図１３及び図１４は、写真プリントの構成例を示す図である。
【００３１】
以下の説明で使用する「静止画像ファイル」とは、１枚の独立した画像ファイルを意味し、全ての画素のデータがそのまま書かれているものや、冗長度を省いて圧縮したデータとして書かれているものなどを含む。例えば、パーソナルコンピュータ等のコンピュータ機器で表示可能な形式としてはＪＰＥＧ方式で圧縮されたものが一般的であり、ＤＶＤプレーヤやＤＶＤレコーダ、ＨＤＤレコーダ、ゲーム機等の画像再生機器で再生可能な形式としてＶｉｄｅｏ−ＣＤ形式やＤＶＤ−Ｖｉｄｅｏ形式、ＨＤＴＶ形式などがあるが、他の方式で圧縮されたファイルや圧縮されていないファイルであってもよい。
【００３２】
また、「動画ファイル」とは、ある一定時間間隔で画像を切り変えて表示するためのデータを意味し、静止画像ファイルを基に作成されたファイルも含む。例えば、ＭＰＥＧなどのファイルは、基準となる画像のデータは独立したデータとして書かれ、それ以降は基準画像との差分だけが記録されるものであり、基準画像としての静止画像ファイルに差分０のデータを記録すれば静止画像ファイルから動画ファイルが作成される。なお、本実施例においては特に断らない限り、「画像ファイル」とは「静止画像ファイル」及び「動画ファイル」の双方を指すものとする。
【００３３】
また、「スライドショー」とは、一般にスライド（静止画像ファイル）が連続的に表示されるものを言うが、本明細書では、静止画像ファイルのスライド表示に混在して動画ファイルが表示されるものや、静止画像ファイルに基づいて作成された動画ファイルを含む複数の動画ファイルが連続して再生されるものもスライドショーと呼ぶものとする。
【００３４】
図１に示すように、本実施例のプリント作成システムは、ユーザ１が保有するコンピュータ機器２又は画像再生機器３などの表示手段を備える機器と、ミニラボ等の写真店９に備える画像記録装置１０とからなり、画像記録装置１０は、ユーザ１から提供されたデジタルカメラ５やカメラ付き携帯電話機などの写真撮影機能を備えた機器（以下、デジタルカメラ５として説明する。）やスマートメディア、コンパクトフラッシュ（登録商標）、メモリースティック（登録商標）、ＳＤメモリーカード、マルチメディアカード等のデジタルカメラ５用の記録媒体（以下、メディア４と呼ぶ。）、撮影済みの写真フィルム６から画像ファイルを読み取ってＣＤ−Ｒ／ＲＷやＤＶＤ±Ｒ／ＲＷ、ＤＶＤ−ＲＡＭ、Ｂｌｕ−ｒａｙディスク等のディスク状記録媒体（以下、単に記録媒体７と呼ぶ。）に書き込むと共に、プリント注文票８や写真プリント１１を作成する。
【００３５】
なお、図１では、画像記録装置１０として、画像ファイルをコンピュータ機器２又は画像再生機器３の少なくとも一方で利用可能な形式で記録媒体７に記録する記録機能と、写真プリント１１やプリント注文票８などを作成するプリント機能の双方を備える構成としているが、これらの機能は１つの画像記録装置１０で実行する必要はなく、例えば、図２に示すように画像ファイルを読み取って記録媒体７に記録する記録機能をキオスクなどの無人端末や専用のセットトップボックス、ポータブルライタ、演算処理手段を備えるＨＤＤレコーダやＤＶＤレコーダ、ゲーム機、コンピュータ機器などの記録端末１０ａで行い、写真プリント１１やプリント注文票８を作成するプリント機能を、受付端末１０ｂとプリンタ１０ｃなどで行う構成としてもよい。また、図１では、記録媒体７と記入済みプリント注文票８ａとを写真店９に提供する構成としているが、コンビニエンスストア等の注文店を介してプリント注文を行う構成としてもよいし、写真店９に設置される受付端末１０ｂなどを用いて直接プリント注文を行う構成としてもよいし、図３に示すように、コンピュータ機器２又は画像再生機器３と画像記録装置１０（ここでは注文端末１０ｂ及びプリンタ１０ｃ）とを通信ネットワーク１２を介して接続して、ネットワーク経由で注文情報を画像記録装置１０に送信してプリント注文を行う構成としてもよい。
【００３６】
また、図４は、画像記録装置１０の中で本実施例に関連する手段を抜き出したブロック図である。図４に示すように、画像記録装置１０には、デジタルカメラ５やメディア４、写真フィルム６から画像ファイルを読み取り、また、必要に応じてプリント注文票８から各々の画像ファイルに対応付けられた情報（以下、画像特定情報と呼ぶ。）や注文番号などの注文を特定する情報（以下、注文特定情報と呼ぶ。）を読み取る読み取り手段１４と、読み取った画像ファイルの中から所望の画像ファイルを選択する画像選択手段１５と、各々の画像ファイルに対応付けられた情報（以下、画像特定情報と呼ぶ。）を作成する画像特定情報生成手段１６と、入力された画像ファイルに基づく画像と画像特定情報とを関連付けて表示するためのデータを生成する再生データ作成手段１７と、記録媒体７や写真プリント１１、プリント注文票８を作成する手段を制御する出力制御手段１８とを備え、これらが制御手段１３により制御されている。
【００３７】
また、再生データ作成手段１７には、画像再生機器３を用いて表示される画像に画像特定情報を合成する画像特定情報合成手段１７ａと、静止画像ファイルから動画ファイルを作成する動画ファイル作成手段１７ｂと、画像ファイルに基づく画像と画像特定情報とを関連付けて再生する制御を行うための再生情報ファイルを作成する再生情報ファイル作成手段１７ｃとを備え、出力制御手段１８には、画像特定情報が合成された画像ファイル、又は画像ファイル及び該画像ファイルに画像特定情報を合成して再生する制御を行う再生情報ファイル（以下、これらを総称して再生データと呼ぶ。）を記録媒体に記録する記録媒体作成手段１８ａと、画像特定情報を用いてプリント注文を行うためのプリント注文票８を作成するプリント注文票作成手段１８ｂと、画像特定情報と必要に応じて注文特定情報とが表面又は裏面の所定の位置に記録された写真プリント１１を作成するプリント作成手段１８ｃとを備えている。なお、上記各手段は画像記録装置１０にハードウェアとして構成されていてもよいし、少なくともコンピュータを出力制御手段１８などとして機能させるプログラムとして構成し、該プログラムを画像記録装置１０にインストールして実行する構成としてもよい。
【００３８】
上記構成のプリント注文システムを用いて、ユーザ１が画像ファイルを提供してから記録媒体７とプリント注文票８とを受け取るまでの手順について、図５のフローチャート図を参照して説明する。
【００３９】
まず、ステップＳ１０１で、ユーザ１はデジタルカメラ５やメディア４、写真フィルム６などを写真店９に持ち込み、ステップＳ１０２で、写真店９では、画像記録装置１０の読み取り手段１４を用いて、デジタルカメラ５やメディア４から画像ファイルを読み取ったり、写真フィルム６を現像した後、現像済みの写真フィルムをスキャンして画像ファイルを読み取る。なお、読み取った画像ファイルの全てを記録媒体７に記録してもよいが、画像選択手段１５を用いて所望の画像ファイルを選択する構成としてもよいし、また、明らかに画像が写っていない画像ファイルやデータが破損している画像ファイル等を自動的に除外するようにしてもよい。
【００４０】
次に、ステップＳ１０３で、画像記録装置１０の画像特定情報生成手段１６では、読み取った画像ファイルに基づく画像と共に表示される画像特定情報を作成する。この画像特定情報は複数の画像ファイルの各々を特定できる情報であればよく、ファイル名やコマ順に並べた画像ファイルに順番に割り当てた通し番号（例えば、００１〜０２４等）を用いたり、ファイル名の数字部分の所定の桁（例えば、拡張子の前の３桁）を抜き出して用いたり、アルファベット等の文字を用いたり、数字とアルファベットを組み合わせた情報を用いることができる（以下では画像特定情報として通し番号を用いる場合について示す。）。
【００４１】
画像特定情報を作成した後、記録媒体７に記録するファイル群を作成するが、本実施例では記録媒体７をコンピュータ機器２でも画像再生機器３でも利用可能とするために、画像再生機器３に対してはステップＳ１０５〜１０６の処理を行う。具体的には、ステップＳ１０５で、画像特定情報合成手段１７ａを用いて各々の画像ファイル又はスクリーンネイル画像ファイルなどのデータサイズを縮小した縮小画像ファイルに基づく画像の所定の位置に、所定の大きさ、色等で画像特定情報を合成した合成画像ファイルを作成する。この画像の合成方法は特に限定されず、画像ファイルに基づく画像に画像特定情報を重ね合わせてもよく、また、画像ファイルに基づく画像に重ならないように画像の外に画像特定情報を付加した合成画像ファイルを作成してもよい。また、画像ファイルに基づく画像と画像特定情報とを同時に表示せずに交互に表示する場合には、画像を合成する必要はない。
【００４２】
次に、ステップＳ１０６で動画ファイル作成手段１７ｂを用いて画像特定情報を合成した合成画像ファイル（静止画像ファイル）をＤＶＤプレーヤやＤＶＤレコーダ、ＨＤＤレコーダ、ゲーム機等の画像再生機器で読み取り可能な動画ファイル（Ｖｉｄｅｏ−ＣＤ形式、ＤＶＤ−Ｖｉｄｅｏ形式、ＨＤＴＶ形式などのファイル）に変換する。静止画像ファイルから動画ファイルを作成する方法は特に限定されないが、例えば、静止画像ファイルを７２０pixel×４８０pixel程度のサイズに縮小し、１秒当たり３０フレーム程度の静止画像ファイルを予め設定されたスライド間隔で指定される時間だけ重ね合わせればよい。また、画像ファイルに基づく画像と画像特定情報とを同時に表示しない場合には、例えば、先頭の所定数のフレームのみ画像特定情報を表示し、残りのフレームは静止画像ファイルに基づく画像を表示するように動画ファイルを作成することもできる。なお、画像再生機器２１によってはｊｐｅｇ等の静止画像ファイルを表示することができる場合もあり、その場合には再生画像ファイルから動画ファイルを作成せずに、記録媒体７に画像特定情報を合成した静止画像ファイルを記録する構成とすることもできる。
【００４３】
次に、ステップＳ１０７で、パソコン上でスライドショーとして画像ファイルを順次表示する際に、各々の画像ファイルに対応付けて画像特定情報が表示されるように、再生情報ファイル作成手段１７ｃを用いて、画像ファイルと画像特定情報との対応付け情報や、画像特定情報を表示する位置や表示サイズ、色等を指定する情報等が記録された再生情報ファイルを作成する。この再生情報ファイルは、画像ファイルと共に記録媒体７に書き込まれるスライドショープログラム等のアプリケーションの動作を制御するファイルであり、再生情報ファイルに従って画像ファイルと画像特定情報とが対応付けられて表示される。
【００４４】
そして、各種ファイルを記録媒体７に記録するが、その際、任意の記録媒体７に対してファイルの記録ができるようにしてもよいし、正規に作成された記録媒体７に対してのみファイルの記録を許可するようにしてもよい。後者の場合は、例えば、記憶手段に予め記憶された位置情報（例えば、物理アドレス）を参照して、該位置に予め特定の識別情報が書き込まれているか否かを判断し、識別情報が書き込まれている場合にのみファイルの記録を開始する構成とすることができる。
【００４５】
その場合、上記識別情報は不正なファイルの記録を防止するために設けるものであるため、識別情報の記録場所や中身が容易に知られてしまうと識別情報自体もコピーされてしまい、不正なファイルの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。
【００４６】
ここで、一般的な記録媒体７の構造について、図８を参照して説明すると、ＣＤ-Ｒは、ポリカーボネート基板１００上に、シアニン、フタロシアニン、アゾなどの有機色素層１０１と銀などの反射層１０２とオーバーコート層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称などの情報を記録媒体７の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に記録媒体７の識別情報を書き込むことにより、識別情報自体がコピーされないようにすることができる。
【００４７】
なお、識別情報の具体的な構成は任意であるが、上記したように記録媒体７の論理アドレス領域外にはメーカの名称が予め記録されていることから、このメーカの名称と記録媒体７に対して付与される番号とを識別情報として用いることにより、記録媒体７が正規に作成されたものか否かを簡単かつ確実に識別することができる。
【００４８】
そして、識別情報が書き込まれている記録媒体７に、読み取った画像ファイルと、ステップＳ１０６で作成した動画ファイルと、ステップＳ１０７で作成した再生情報ファイルと、スライドショープログラム等のアプリケーションと、アプリケーションの設定ファイルと、必要に応じて画像ファイルと共に再生する楽曲音声ファイルなどを記録するが、画像再生機器３ではファイルを読み込むことができる記録領域が限定されるため、ステップＳ１０７で、変換された動画ファイルや関連付けファイル等（以下、これらを総称して画像再生機器用ファイル群と呼ぶ。）を予め設けた書き込み用の所定のフォルダに転送した後、該フォルダから画像再生機器用ファイル群を読み出して、記録媒体７の論理アドレス領域の内側に記録する。その後、ステップＳ１０９で、コンピュータ機器用のファイルの記録を行う前に、画像再生機器で使用可能なファイルの領域を区分するために一旦セッションをクローズする。
【００４９】
次に、ステップＳ１１０で、画像ファイルと必要に応じてスライドショープログラムなどのアプリケーションや設定ファイル、再生情報ファイル、楽曲音声ファイルなど（以下、これらを総称してコンピュータ機器用ファイル群と呼ぶ。）を予め設けた書き込み用の所定のフォルダに転送した後、該フォルダからコンピュータ機器用ファイル群を読み出して、記録媒体７に先に記録された画像再生機器用ファイル群の外側に記録して一連の書き込み処理を終了する。
【００５０】
上記手順で作成された記録媒体７には図７に示すように各種情報が記録され、ディスク型記録媒体７の最も内側の論理アドレス領域外には、必要に応じて所定の形式（好ましくはファイル形式でないデータ形式）の識別情報が記録され、その外側の論理アドレス領域の内側には、必要に応じて画像再生機器用ファイル群が記録され、更にその外側には画像データを含むコンピュータ機器ファイル群が記録される。
【００５１】
また、上記手順で作成された記録媒体７の記録構造は、例えば、図９に示すようになり、コンピュータ機器用ファイル群は、”PS_Roll”フォルダ内の画像ファイル、サムネイル画像ファイル、スクリーンネイル画像ファイルなどの複数の種別の画像ファイル（画像ファイル群）と、再生情報ファイル（info.txt）、”APPL”フォルダ内のスライドショープログラム、スライドショーの設定ファイル、自動起動ファイル（Autorun.inf）などの他のファイル群とで構成され、画像再生機器用ファイル群は、”VCD”フォルダ内の画像ファイルをＶｉｄｅｏ−ＣＤ形式、ＤＶＤ−Ｖｉｄｅｏ形式、ＨＤＴＶ形式用ファイル等として関連付けるファイル、”SEGMENT”フォルダ内のＴＶ画面に表示する画像ファイル、”MPEGAV”フォルダ内の動画ファイル、”DAT”フォルダ内のＴＶ画面に静止画像ファイルを表示するためのアプリケーションなどで構成される。
【００５２】
なお、画像ファイル群の記録構造は任意であるが、画像ファイル群を画像記録装置１０などにバックアップした場合における管理を容易にするために、予め定められたルールに従ってフォルダを構成し、そのフォルダにユニークな名称を付与することが好ましい。例えば、図９に示すように、画像ファイルの格納場所を示すフォルダ（PS_Roll）の下位の階層にメディア８毎、機器毎、フィルム毎の画像ファイルの格納場所を示すフォルダ（ROYYMMDDyyy_XXXXXXAABxxx、ここではRO030416001_12345601C001）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などすることもできる。
【００５３】
次に、ステップＳ１１１で、プリント注文票作成手段１８ｂを用いて、プリント注文票１１の作成を行う。このプリント注文票１１は、例えば、図１０に示すように、注文特定情報１９と、注文の日時やユーザの氏名、電話番号などを記入する欄と、プリントサイズを指定する欄と、コマ番号（画像特定情報２０）と注文枚数を記入する領域が配列された欄とが設けられる。このプリント注文票８は少なくとも画像特定情報を記入する領域を備えている限りにおいて、その構成、配置、大きさなどは任意に変更することができ、例えば、各々の画像に対してプリントサイズが指定できるようにしてもよいし、図１１に示すように、予め画像特定情報２０を記録し、各々の画像特定情報２０に対応してプリント注文を指示する注文チェック欄を設ける構成としてもよい。なお、プリント注文票８の作成は、記録媒体７にファイル群を記録した後に行う必要はなく、いずれのステップで行ってもよい。
【００５４】
そして、ステップＳ１１２で、写真店９は、パソコン用ファイル群と画像再生機器用ファイル群とがデータシーク順を考慮して記録された記録媒体７と、注文特定情報１９が記載され画像特定情報２０を記入する欄が設けられたプリント注文票８とをユーザ１に提供する。
【００５５】
次に、上記手順で作成された記録媒体７とプリント注文票８とを用いてプリント注文を行う手順について、図６のフローチャート図を参照して説明する。なお、ここでは記録媒体７に記録された画像ファイルをスライドショーとして表示する（画像再生機器３の場合はスライドショーのように動画ファイルが連続して再生される）場合について示すが、表示方法はスライドショーに限定されず、コンピュータ機器２や画像再生機器３を操作して所望の画像ファイルを表示する（例えば、画像ファイルを１つずつ指定して画面に表示する）構成としてもよい。また、以下では、コンピュータ機器２又は画像再生機器３を用いて記録媒体７の画像ファイルを再生する場合について示すが、写真店９に設置された受付端末１０ｂなどを用いて画像ファイルを再生して直接注文を行うようにしてもよい。
【００５６】
まず、ステップＳ２０１で、ユーザ１は、受け取った記録媒体７をコンピュータ機器２又は画像再生装置３に挿入して再生する。ここで、記録媒体７をコンピュータ機器２や画像再生機器３に挿入したら、すぐに画像ファイルが再生される構成としてもよいが、ユーザ１がプリント注文の方法に迷わないように、プリント注文方法を説明するための説明画面を表示する構成としてもよい。
【００５７】
次に、ステップＳ２０２で、記録媒体７に記録された画像ファイルに基づく画像を順次スライド表示する。例えば、コンピュータ機器２を用いる場合は、再生情報ファイルによってスライドショープログラムの動作が制御されて、例えば、図１２（ａ）に示すように、表示画面２１には各々の画像ファイルに基づく画像２２と、画像２２に対応付けられた画像特定情報２０とが表示される。また、画像再生機器３を用いる場合は、画像ファイルに基づく画像２２に画像特定情報２０が合成された合成画像ファイルから作成された動画ファイルが順番に表示され、画像２２と画像特定情報２０とが合成された画面が表示される。
【００５８】
なお、画像特定情報２０は画像２２の中に表示される必要はなく、例えば、図１２（ｂ）に示すように画像２２の外側の任意の位置に表示することもできる。また、図１２では、画像ファイルに基づく画像２２と画像特定情報２０とを同時に表示する構成としているが、例えば、画像２２を表示する前（又は後）に画像特定情報２０のみを表示して、その後（又は前）に画像ファイルに基づく画像２２のみを表示するようにしてもよい。その場合、コンピュータ機器２では再生情報ファイルによって画像２２と画像特定情報２０とが交互に表示されるようにスライドショープログラムが制御され、画像再生機器３では、画像再生情報２０の画像の後に画像ファイルに基づく画像が表示されるように作成された動画ファイルが表示されることになる。
【００５９】
そして、ユーザ１は、スライドショーを閲覧し、ステップＳ２０３でプリント注文を望む画像２２が表示されたら、その画像２２と共に表示される画像特定情報２０を読み取り、ステップＳ２０４でプリント注文票８の注文欄に画像特定情報２０とプリント枚数等を記入する（図１１参照）。
【００６０】
ここで、従来の記録媒体書き込みサービスで提供される記録媒体では、画像ファイルに基づく画像がスライドショーとして表示されるのみであり、表示されている画像とプリント注文票８のサムネイル画像とを見比べることによってプリント注文する画像を特定していたため、プリント注文票８には必ず画像が表示される必要があったが、本実施例では画像と共に表示される画像特定情報２０を用いて画像を特定するため、画像を対比させる必要はない。従って、プリント注文票８には図１０に示すように画像特定情報２０を記入する領域が設けられていればよく、プリント注文票８の構成を簡略化することができる。また、プリント注文票８に画像を表示する場合は印画紙を用いてプリント注文票８を作成しなければならず高価になってしまうが、図１０又は図１１に示す構成では通常の紙でプリント注文票８を作成できるため、１つの記録媒体７に対して多数のプリント注文票８を添付することもでき、ユーザ１も気軽にプリント注文を行うことができ、これによりプリント注文を促進することができる。
【００６１】
そして、ステップＳ２０５で、画像特定情報２０及びプリント枚数を記入したプリント注文票８と記録媒体７とを写真店９に持ち込んでプリント注文を行うと、写真店９では、ステップＳ２０６で、読み取り手段１４を用いてプリント注文票８から画像特定情報２０と必要に応じて注文特定情報１９とを読み取り（又は店員がプリント注文票８を参照して画像特定情報２０と必要に応じて注文特定情報１９とを読み取り）、ステップＳ２０７で、この画像特定情報２０で特定された画像ファイルを記録媒体７から読み出し、所望の枚数、サイズで写真プリント１１を作成する。
【００６２】
その際、従来の画像記録装置１０では、写真プリント１１には画像ファイルに基づく画像のみが記録されているか、単なる通し番号が記録されるか、若しくは画像ファイルのファイル名が記録されているのみであるため、写真プリント１１を見ただけでは、その写真プリント１１がどの注文のどの画像ファイルに対応するのかを判別することはできず、作成した写真プリント１１が注文通りであるのかをチェックすることができなかった。そこで、本実施例では、ステップＳ２０８で、写真プリント１１に画像と共に画像特定情報２０と必要に応じて注文特定情報１９とを記録する。例えば、図１３に示すように、写真プリント１１の裏面の任意の位置に画像特定情報２０と必要に応じて注文特定情報１９とを記録したり、図１４に示すように、写真プリント１１の表面の端部（画像の鑑賞に支障の無い位置）に画像特定情報２０と必要に応じて注文特定情報１９とを記録して、写真プリント１１がどの記録媒体７のどの画像ファイルに対応するのかを一見して判別できるようにしている。
【００６３】
なお、図１３及び図１４は例示であり、画像特定情報２０と必要に応じて注文特定情報１９とが記録されている限りにおいて、その配置、文字の構成、大きさなどは任意であり、これらの情報に加えて他の情報（例えば、写真プリントの作成日時など）を記録してもよい。また、注文特定情報１９の文字数が多い場合には、写真プリント１１の表面に画像特定情報２０のみを記録し、写真プリント１１の裏面に注文特定情報１９を記録する構成とすることもできる。
【００６４】
そして、ステップＳ２０９で、写真店の店員は、写真プリント１１の表面又は裏面に記録された画像特定情報２０（及び注文特定情報１９）と、プリント注文票８に記入された画像特定情報２０（及び注文特定情報１９）とを比較し、写真プリント２０の照合を行い、その後、ステップＳ２１０で、記録媒体７と、写真プリント１１と、新たなプリント注文票８とをユーザ１に提供する。
【００６５】
また、写真プリント１１を焼き増しする場合には、ステップＳ２１１で、再度プリント注文を行う。ここで、従来の写真プリント１１には、写真プリント１１の元となる画像ファイルを特定する情報や注文を特定する情報などが記録されていないため、焼き増しに際して、記録媒体７をコンピュータ機器２や画像再生機器３に挿入して再度、画像を再生させ、写真プリント１１に対応する画像ファイルを特定するなど煩雑な操作が必要であり、簡単に焼き増しすることができなかったが、本実施例では、画像特定情報２０と必要に応じて注文特定情報１９とが写真プリント１１に直接記録されているため、ステップＳ２１２で、プリント注文票８に写真プリント１１に記録された画像特定情報２０を記入するのみでプリント注文する画像ファイルを特定することができるため、再度のプリント注文を簡単に行うことができる。
【００６６】
また、プリント注文を行う場合は、写真プリント１１を作成する画像の元となる画像ファイルが記録された記録媒体７も特定する必要があり、従来は写真プリント１１を見ただけでは記録媒体を特定することはできなかったが、本実施例の場合は写真プリント１１に注文特定情報１９が記録されているため、この注文特定情報から記録媒体を簡単に特定することができるため、再度のプリント注文を簡単に行うことができる。
【００６７】
なお、上記フローでは、ユーザ１に記録媒体７とプリント注文票８とを提供し、ユーザ１は表示された画像特定情報２０をプリント注文票８に記入して、記録媒体７とプリント注文票８とを写真店９に持ち込む構成としたが、コンピュータ機器２又は画像再生機器３と画像記録装置１０とが通信ネットワーク１２を介して接続されている場合には、画像ファイルと注文データとを電子データとして送信することによってプリント注文を行うこともできる。その場合、ステップＳ２０６で注文データから画像特定情報２０（及び注文特定情報１９）を抽出して出力しておき、作成した写真プリント１１の表面又は裏面に記録された画像特定情報２０（及び注文特定情報１９）と出力した画像特定情報２０（及び注文特定情報１９）とを比較して、ステップＳ２０９で写真プリント１１の照合を行えばよい。
【００６８】
このように、本実施例では、コンピュータ機器２や画像再生機器３の表示画面に、画像ファイルに基づく画像と共に、該画像に対応付けられた画像特定情報２０が表示され、この画像特定情報２０をプリント注文票８に記入してプリント注文すると、写真プリント１１の表面又は裏面に画像特定情報２０と必要に応じて注文特定情報１９とが記録されるため、これらの情報を比較するのみで簡単かつ確実に写真プリント１１を照合することができる。また、ユーザ１は、写真プリント１１を焼き増しする場合も、写真プリント１１から直接、注文特定情報１９及び画像特定情報２０を取得することができるため、記録媒体７をコンピュータ機器２や画像再生機器３で再生する必要がなくなり、簡単にプリント注文を行うことができるようになる。
【図面の簡単な説明】
【００６９】
【図１】本発明の一実施例に係るプリント注文システムの構成を模式的に示す図である。
【図２】本発明の一実施例に係るプリント注文システムの他の構成を模式的に示す図である。
【図３】本発明の一実施例に係るプリント注文システムの他の構成を模式的に示す図である。
【図４】本発明の一実施例に係る画像記録装置の主要な手段を示すブロック図である。
【図５】記録媒体及びプリント注文票の入手手順を示すフローチャート図である。
【図６】記録媒体及びプリント注文票を用いたプリント注文の手順を示すフローチャート図である。
【図７】本発明の一実施例に係る記録媒体におけるデータの記録領域を模式的に示す図である。
【図８】本発明の一実施例に係る記録媒体（ＣＤ−Ｒ）の構造を模式的に示す図である。
【図９】本発明の一実施例に係る記録媒体におけるデータの記録構造を示す図である。
【図１０】本発明の一実施例に係るプリント注文票の構成例を示す図である。
【図１１】本発明の一実施例に係るプリント注文票の他の構成例を示す図である。
【図１２】コンピュータ機器又は画像再生機器で表示される画面の構成例を示す図である。
【図１３】本発明の一実施例に係る写真プリント（裏面側）の構成を示す図である。
【図１４】本発明の一実施例に係る写真プリント（表面側）の構成を示す図である。
【符号の説明】
【００７０】
１  ユーザ
２  コンピュータ機器
３  画像再生機器
４  メディア
５  デジタルカメラ
６  写真フィルム
７  記録媒体
８  プリント注文票
８ａ  記入済みプリント注文票
９  写真店
１０  画像記録装置
１０ａ  記録端末
１０ｂ  受付端末
１０ｃ  プリンタ
１１  写真プリント
１２  通信ネットワーク
１３  制御手段
１４  読み取り手段
１５  画像選択手段
１６  画像特定情報生成手段
１７  再生データ作成手段
１７ａ  画像特定情報合成手段
１７ｂ  動画ファイル作成手段
１８  出力制御手段
１８ａ  記録媒体作成手段
１８ｂ  プリント注文票作成手段
１８ｃ  プリント作成手段
１９  注文特定情報
２０  画像特定情報
２１  表示画面
２２  画像
【図１】
2005316538.tif 000003
【図２】
2005316538.tif 000004
【図３】
2005316538.tif 000005
【図４】
2005316538.tif 000006
【図５】
2005316538.tif 000007
【図６】
2005316538.tif 000008
【図７】
2005316538.tif 000009
【図８】
2005316538.tif 000010
【図９】
2005316538.tif 000011
【図１０】
2005316538.tif 000012
【図１１】
2005316538.tif 000013
【図１２】
2005316538.tif 000014
【図１３】
2005316538.tif 000015
【図１４】
2005316538.tif 000016